(57)【特許請求の範囲】
【請求項１】
直角よりも若干小さい角度にて交わる短片及び長片を有したＬ字形の金具であって、該短片及び長片の同じサイドの側辺にそれぞれ切込部が設けられたＬ形金具Ａと、
これと同一形状のＬ形金具Ｂとで構成された留付金具であって、
該Ｌ形金具Ａ及びＢの短片の切込部同士を係合させると共に、該Ｌ形金具Ａ及びＢの長片同士を係合させてなる出隅材の留付金具。
【請求項２】
長手方向に延在する溝が出隅材の裏側に設けられ、この溝に留付金具の一端を係合させ、留付金具の他端側を躯体側に留付けた出隅材の留付構造において、
該出隅材は、ほぼ直角に交わる第１の溝面ａと第２の溝面ｂとを備えており、
前記留付金具は請求項１の留付金具であり、
該留付金具のＬ形金具Ａの短片を溝面ａに係合させると共に、Ｌ形金具Ｂの短片を溝面ｂに係合させ、各Ｌ形金具Ａ，Ｂの長片を躯体側に固定して出隅材を躯体側に留付けたことを特徴とする出隅材の留付構造。
【発明の詳細な説明】
【０００１】
【発明の属する技術分野】
本発明は、建物の出隅（凸コーナー部）を覆う出隅材の留付のための金具と、この金具を用いた出隅材留付構造とに関するものである。
【０００２】
【従来の技術】
出隅材の留付金具及び留付構造の従来例として、実公昭５８−７８８１号に記載のものがある。この従来例にあっては、出隅材の裏側（躯体側）に長手方向に溝が設けられ、留付金具の一端をこの溝に係合させ、留付金具の他端側を躯体の柱に釘により固定する。
【０００３】
【発明が解決しようとする課題】
出隅材は上下方向に長い長尺物であるから、裏側の溝も上下に長く延在する。上記従来例にあっては、この溝に留付金具の一端を係合させてから出隅材を柱に沿わせ、留付金具の他端側を釘で柱に留付けるようにしているのであるが、出隅材を柱に沿わせたときに出隅材が溝に沿ってずり落ちてしまい、作業に手間取る。
【０００４】
本発明はこのような留付金具のずり落ちがなく、留付施工作業を容易かつ迅速に行うことが可能な出隅材の留付金具と、それを用いた出隅材の留付構造を提供することを目的とする。
【０００５】
【課題を解決するための手段】
本発明の留付金具は、直角よりも若干小さい角度にて交わる短片及び長片を有したＬ字形の金具であって、該短片及び長片の同じサイドの側辺にそれぞれ切込部が設けられたＬ形金具Ａと、これと同一形状のＬ形金具Ｂとで構成された留付金具であって、該Ｌ形金具Ａ及びＢの短片の切込部同士を係合させると共に、該Ｌ形金具Ａ及びＢの長片同士を係合させてなるものである。
【０００６】
本発明の出隅材の留付構造は、長手方向に延在する溝が出隅材の裏側に設けられ、この溝に留付金具の一端を係合させ、留付金具の他端側を躯体側に留付けた出隅材の留付構造において、該出隅材は、ほぼ直角に交わる第１の溝面ａと第２の溝面ｂとを備えており、前記留付金具は請求項１の留付金具であり、該留付金具のＬ形金具Ａの短片を溝面ａに係合させると共に、Ｌ形金具Ｂの短片を溝面ｂに係合させ、各Ｌ形金具Ａ，Ｂの長片を躯体側に固定して出隅材を躯体側に留付けたことを特徴とするものである。
【０００７】
この留付構造は、各Ｌ形金具の短片と長片との交叉角度が９０°よりも小さいので、Ｌ形金具Ａ及びＬ形金具Ｂの短片をそれぞれ出隅材の溝に差し込み、両者の切込部同士を係合させると、各Ｌ形金具の長片と短片との交叉角度が９０°になろうとし、且つ短片は溝の内面に押し付けられるようになる。この結果、留付金具は出隅材を縦にしても溝内をずり落ちないものとなる。従って、留付金具を正確に予定位置に配置した状態にて出隅材を柱等に沿わせ、釘打ち等によって固定することが可能となる。
【０００８】
【発明の実施の形態】
図１は実施の形態に係る留付金具を構成するＬ形金具Ａ，Ｂの構成図であり、図２，３はこの留付金具と出隅材との係合関係を示す斜視図である。
【０００９】
このＬ形金具Ａ，Ｂは同一形状のものであり、それぞれ長片２及び短片３を有した略Ｌ字形状のものである。長片２と短片３とは９０°よりも若干小さい角度（例えば８０〜８７°程度、この実施の形態は８５°）にて交叉している。長片２と短片３の同サイドの側辺には、この交叉辺と平行方向に延在する切込部４，５が形成されている。
【００１０】
この切込部４，５は入口側がテーパ状に広がっており、両Ｌ形金具Ａ，Ｂを係合させるときに切込部４，４同士及び切込部５，５同士が相互に入り込み易いものとなっている。
【００１１】
長片２には複数個の釘孔６が設けられているが、細長い１本の孔を設けても良い。
【００１２】
図２の通り、出隅材１０の裏側の角部には、該出隅材１０の長手方向と垂直な断面において正方形状となる切欠溝部１１が設けられると共に、この切欠溝部１１の交叉２面を延長した方向にスリット状の溝１２，１３が形成されている。これにより、出隅材１０には直交する１組の溝面ａ，ｂが形成されている。
【００１３】
図２の通り、Ｌ形金具Ｂの短片３をこの溝面ｂに沿わせるようにして、かつ切込部４，５が上向きとなるようにして溝１２に差し込む。また、Ｌ形金具Ａの短片３を溝面ａに沿わせるようにして、かつ切込部４，５が下向きとなるようにして溝１３に差し込む。そして、Ｌ形金具Ａを下方にずらすこと、及びＬ形金具Ｂを上方にずらすことの一方又は双方を行うことにより、両Ｌ形金具Ａ，Ｂの切込部４，４同士及び切込部５，５同士を係合させる。この際、前記の通り、切込部４，５の入口側がテーパ状となっているので、両者はスムーズに係合する。
【００１４】
図３の通り、Ｌ形金具Ａ，Ｂ同士を係合させると、各Ｌ形金具Ａ，Ｂにあっては長片２と短片３とが直角になり、金具Ａにあっては長片２が図３のα方向に復元しようとし、金具Ｂにあっては長片２がβ方向に復元しようとし、金具Ａ，Ｂ同士が弾性的に絡まった状態となる。また、金具Ａの短片３が溝面ａに押し付けられ、金具Ｂの短片３が溝面ｂに押し付けられ、これによってＬ形金具Ａ，Ｂが溝１２，１３に沿ってずり落ちないようになる。
【００１５】
このようにＬ形金具Ａ，Ｂが出隅材１０の所定高さに保持され、該出隅材１０から金具Ａ，Ｂの長片２，２が直交して延出するので、各長片２を柱や胴縁に当て、釘孔６を通して釘打ちすることにより出隅材１０を建物の出隅に簡単に取り付けることができる。
【００１６】
図４はこの出隅材の留付構造の一例を示す水平断面図であり、柱２０の出隅側の交叉２面にそれぞれ胴縁２１，２２が釘打ち等により固定されている。
【００１７】
出隅材１０’に装着されたＬ形金具Ａ，Ｂの長片２，２をこの胴縁２１，２２の外面に当て、釘（図示略）を打って該出隅材１０’を出隅に取り付けている。
【００１８】
なお、この出隅材１０’は外壁パネル２３の端縁に被る張出部１８，１９を備えているものであるが、切欠溝部１１及び溝１２，１３付近の構成は図２，３と同一であり、溝面ａ，ｂに金具Ａ，Ｂの短片３が押し付けられている。
【００１９】
上記実施の形態では出隅材に２条の溝１２，１３を形成しているが、図５の出隅材１０”のように直交する２つの溝面ａ，ｂを有した１条の溝１４のみを設けてもよい。この溝１４は直角三角形断面形状のものであるが、方形断面形状のもの等であってもよい。この溝面ａ，ｂにＬ形金具Ａ，Ｂの短片３，３が押し付けられ、直交する長片２，２が胴縁２１，２２に釘打ちにより固定されている構成は図４と同じである。
【００２０】
なお、この実施の形態では、出隅材１０”は前記の張出部は有しておらず、その代りに出隅材１０”と外装パネル２３との間にスペーサ（ジョイナと称されることもある。）２４が介在されている。この出隅材１０”と外装パネル２３との間隙にシーリング材が充填される。
【００２１】
【発明の効果】
以上の通り、本発明によると、留付金具が出隅材の所定高さに保持されるので、出隅材の目的とする高さに留付金具を装着しておいて、出隅材を出隅に取り付け施工する作業がきわめて容易になり、作業能率が顕著に向上する。
【図面の簡単な説明】
【図１】実施の形態に係る留付金具のＬ形金具の構成を示すものであり、（ａ）図は平面図、（ｂ）図は正面図、（ｃ）図は底面図、（ｄ）図は右側面図である。
【図２】留付金具と出隅材との係合関係を示す分解斜視図である。
【図３】留付金具と出隅材との係合関係を示す斜視図である。
【図４】実施の形態に係る出隅材１０’の取付状態を示す水平断面図である。
【図５】実施の形態に係る出隅材１０”の取付状態を示す水平断面図である。
【符号の説明】
Ａ，Ｂ  Ｌ形金具
ａ，ｂ  溝面
２  長片
３  短片
４，５  切込部
６  釘孔
１０，１０’，１０”  出隅材
１１  切欠溝部
１２，１３，１４  溝
２０  柱
２１，２２  胴縁
２３  外装パネル
２４  スペーサ
【図１】
0003627567.tif 000002
【図２】
0003627567.tif 000003
【図３】
0003627567.tif 000004
【図４】
0003627567.tif 000005
【図５】
0003627567.tif 000006